(57)【特許請求の範囲】
【請求項１】
モータと、該モータによって回転される集塵ファンと、該集塵ファンの回転により空気と共に吸引される粉塵を回収するダストバッグと、該ダストバッグを収納するダストケースと、該ダストケース内に突出する吸込部とを備えた集塵機において、前記吸込部は、前記ダストケースに固定される固定部と、該固定部に対し回転自在に設けられ、前記粉塵を前記固定部の内壁と略交差する方向に案内する曲面部を有するガイド壁と前記粉塵が排出される前記ガイド壁の端部に形成されたエッジ部とを備えた回転部とからなり、該回転部は、前記ダストバッグを前記ダストケースから取り出す際に、前記ガイド壁及びエッジ部が前記ダストバッグの取り出し方向に回転すると共に、前記ガイド壁の曲面部が前記ダストバッグの反取り出し方向側に位置することを特徴とする集塵機。
【発明の詳細な説明】
【０００１】
【発明の属する技術分野】
本発明は、集塵機に関するものである。
【０００２】
【従来の技術】
従来における集塵機の吸込口を図５〜図１７を用いて説明する。集塵機は、主に床面を掃除したり、或いは電動工具などから排出される切削粉塵を集塵する用途において広く使用されている。以下（１），（２）に一般的な集塵機の構成を示す。
（１）図５，図６，図１０〜図１３に示すように、吸込口２１のダストケース７内側部にプラスチック製の押さえ部材１６がネジ等によって固定されている。図５，図７〜図９に示すように、ダストバッグ１３はダストケース７内に沿うように配置されており、その一端はダストケース７と押さえ部材１６との間に配置され、他端はダストケース７の上面外周部１１外までくるように配置されている。ダストバッグ１３は、モーターケース１の下面外周部９に設けられたシールパッキン１０とダストケースの上面外周部１１間に挟まれ、モーターケース１とダストケース７がクランプなどにより締結されることにより、圧着・密閉・固定される。このダストバッグ１３には、市販品のポリエチレン製のポリ袋等の汎用のゴミ袋がよく使用される。
【０００３】
集塵ファン４の回転により発生する吸込力により集塵された粉塵２０は、吸込口２１を通りダストケース７内部に空気と共に搬送される。空気と共に搬送された粉塵２０は、ダストケース７内部に取り付けられたフィルター装置６の濾過機能により粉塵２０と空気に分離され、粉塵２０はフィルタ装置６の外周面で捕集され、空気はフィルタ装置６を通過してフィルタ装置６の内側部を通り、モーターケース１内部に吸引される。フィルタ装置６の外周面で捕集された粉塵２０は自然落下し、ダストバッグ１３内部に収納される。粉塵２０はダストケース７からダストバッグ１３ごと取り出され、粉塵２０と共に廃棄される。吸込口２１は集塵した粉塵２０が直接フィルタ装置６に当たらないように図５〜図１３に示すような形状をしている。また、図８，図１２，図１３に示すように、ダストケース７内の吸込口２１にゴムカバー１４が取付けられ集塵した粉塵２０が直接フィルタ装置６に当たらないようにしている場合も有る。
（２）図１５に示すように、吸込口２１のダストケース７内側部には、リング状突起１９が設けられている。これは取り付けたダストバッグ１３が簡単に外れないようにするための抜け止めである。ダストバッグ１３の取付部の穴がリング状突起１９のダストケース７側に位置するようにダストバッグ１３を取り付けている。図１６に示すようにダストバッグ１３には、取付板１５、パッキン１７が配設されており、図１５に示すようにパッキン１７が撓んで、吸込口２１のダストケース７内側部に押し当たることにより、吸込口２１のダストケース７内側部とダストバッグ１３はシールされている。
【０００４】
集塵ファン４の回転により発生する吸込力により、集塵された粉塵２０は、ダストケース７内部に空気と共に搬送される。ダストケース７内部に搬送された粉塵２０は、ダストケース７内部に着脱自在に取り付けられたダストバッグ１３内部に空気と共に吐き出される。吐き出された空気はダストバッグ１３の濾過機能により粉塵２０と空気に分離され、空気はダストバッグ１３の外側に排出され、粉塵２０はそのままダストバッグ１３内部に収納される。分離された空気はフィルタ装置６を通り、モーターケース１内部に吸引され、集塵機外部に排出される。粉塵２０はダストケース７からダストバッグ１３ごと取り出され、粉塵２０と共に廃棄される。このダストバッグ１３は空気の透過を要するため、主に特殊な紙で構成されている。吸込口２１は集塵機した粉塵２０が直接ダストバッグ１３に当たらないように図１５に示すような形状をしている。
【０００５】
【発明が解決しようとする課題】
上記（１）の場合、集塵した粉塵２０の廃棄時、ダストケース７から粉塵２０をダストバッグ１３ごと取り出し、粉塵２０と共に廃棄する。ダストバッグ１３を取り出す時、ダストバッグ１３をダストケース７より上方へ引き出すが、集塵した粉塵２０が多すぎると、ダストバッグ１３がダストケース内の吸込口のエッジ１８に引っ掛り、破れる。また、そこから集塵した粉塵２０がこぼれ落ち、周囲が汚れるという問題があった。また、破れ防止を図るため、破れにくい部材(汎用でないポリ袋等)を用いると特殊となり高価になるという問題があった。また、破れ防止のため、集塵量を少なくするとダストバッグ１３交換回数が増え、手間及びコストがかかるという問題を有していた。更に外観からは集塵量(特に体積量)が判断できず、集塵量を確認するためにはモーターケース１、フィルタ装置６を順に外し、目視によりこまめにチェックしなければならず、確認作業が煩雑になり且つその際にフィルタ装置６外周面に付着した粉塵２０により周囲が汚れるという問題があった。また、ゴムカバー１４付の場合は、図１３に示すようにゴムカバー１４によりダストケース内の吸込口のエッジ１８にダストバッグ１３が引っ掛らないが、ダストバッグ１３を取り出すため、ダストバッグ１３の一端をゴムカバー１４をくぐらす必要が有る。このくぐらす時に、集塵した粉塵２０により手が汚れたり、或いは集塵した粉塵２０がダストケース７内にこぼれやすいという問題があった。
【０００６】
上記（２）の場合、集塵した粉塵２０の廃棄時、ダストケース７から粉塵２０をダストバッグ１３ごと取り出し、粉塵２０と共に廃棄する。ダストバッグ１３を取り出す時、ダストバッグ１３をダストケース７より上方へ引き出すが、集塵した粉塵２０が多すぎると、ダストバッグ１３がダストケース内の吸込口のエッジ１８に引っ掛り、破れる。また、そこから集塵した粉塵２０がこぼれ落ち、周囲が汚れるという問題があった。破れ防止のため、ダストバッグ１３のダストケース内の吸込口のエッジ１８が当たる部分に破れにくい部材を用いると特殊となり高価になるという問題があった。また、破れ防止のため、集塵量を少なくするとダストバッグ１３交換回数が増え、手間及びコストがかかるという問題があった。更に外観からは集塵量(特に体積量)が判断できず、集塵量を確認するためにはモーターケース１、フィルタ装置６を順に外し、目視によりこまめにチェックしなければならず、確認作業が煩雑になってしまうという問題があった。
【０００７】
本発明の目的は、上記問題を解消し、ダストバッグがダストケース内の吸込口のエッジに引っ掛ることなく容易に取り外せる安価な集塵機を提供することである。
【０００８】
【課題を解決するための手段】
上記目的は、モータと、該モータによって回転される集塵ファンと、該集塵ファンの回転により空気と共に吸引される粉塵を回収するダストバッグと、該ダストバッグを収納するダストケースと、該ダストケース内に突出する吸込部とを備えた集塵機において、前記吸込部は、前記ダストケースに固定される固定部と、該固定部に対し回転自在に設けられ、前記粉塵を前記固定部の内壁と略交差する方向に案内する曲面部を有するガイド壁と前記粉塵が排出される前記ガイド壁の端部に形成されたエッジ部とを備えた回転部とからなり、該回転部は、前記ダストバッグを前記ダストケースから取り出す際に、前記ガイド壁及びエッジ部が前記ダストバッグの取り出し方向に回転すると共に、前記ガイド壁の曲面部が前記ダストバッグの反取り出し方向側に位置することにより達成される。
【０００９】
【発明の実施の形態】
本実施例における集塵機を図１〜図４を用いて説明する。モーターケース１の内部には、電動機２がその出力軸３を鉛直方向下方となるように配設し、出力軸３には直結された遠心形集塵ファン４を設け、集塵ファン４の吸気口５をモーターケース１の下面中心部に設ける。モーターケース１の下方には、フィルタ装置６とダストケース７を配設する。フィルタ装置の上面外周部８は、モーターケースの下面外周部９に設けられたシールパッキン１０とダストケースの上面外周部１１間に挟まれ、モーターケース１とダストケース７がクランプなどにより締結されることにより、圧着・密閉される。ダストケース７の側面には、集塵ホースを接続するための吸込口２１が設けられる。ダストケース７内の吸込口２１は、図１〜図４に示すように回転部側と固定部側に分割されており、固定部側に設けたリング状突起に案内されるリング状溝部を回転部側に設けることにより、固定部側に対して回転部側を自在に回転させることができるように構成されている。また、逆に固定部側にリング状溝部を設けると共に回転部側にリング状突起を設けても良い。なお、上述した回転案内部は、固定部側に対して回転部側を自在に回転させることができる形状であればリング形状以外であっても良い。
【００１０】
図１〜図４に示すように、吸込口２１のダストケース７内側部にプラスチック製の押さえ部材１６がネジ等によって固定されている。ダストバッグ１３はダストケース７内に沿うように配置され、その一端はダストケース７と押さえ部材１６との間に配置され、他端はダストケース７の上面外周部１１外までくるように配置される。ダストバッグ１３は、モーターケースの下面外周部９に設けられたシールパッキン１０とダストケース７の上面外周部１１間に挟まれ、モーターケース１とダストケース７がクランプなどにより締結されることにより、圧着・密閉・固定される。このダストバッグ１３には、市販品のポリエチレン製のポリ袋等の汎用のゴミ袋がよく使用される。
【００１１】
このように構成された集塵機のダストケース７は、集塵ファン４の回転により発生する吸込み力により内側部が負圧になる。これにより、空気と粉塵２０は、吸込口２１からダストケース７の内部に飛び込み、フィルタ装置６によって粉塵２０と空気に分離され、粉塵２０はフィルター装置６の外周面で捕集され、空気はフィルタ装置６を通過してフィルタ装置６の内側部を通り、モーターケース１内部に吸引される。フィルタ装置６の外周面で捕集された粉塵２０は自然落下し、ダストバッグ１３内部に収納される。作業者は、粉塵２０の廃棄時、モーターケース１、フィルタ装置６を取り外し、図２及び図４に示すようにダストケース７内の吸込口２１を１８０度回転させる。その後、ダストバッグ１３を取り出し、粉塵２０と共に捨てる。このため、粉塵２０がこぼれないため作業場を汚すことなく、容易に粉塵２０を廃棄することができる。
【００１２】
【発明の効果】
本発明によれば、ダストケース内の吸込口を回転自在に設けることで、ダストバッグがダストケース内の吸込口のエッジに引っ掛ることなく容易に取り外せる安価な集塵機を提供することができる。
【図面の簡単な説明】
【図１】  本発明になる集塵機の吸込口を示す断面図である。
【図２】  本発明になる集塵機の吸込口を示す断面図である。
【図３】  図１の一部拡大図である。
【図４】  図２の一部拡大図である。
【図５】  従来における集塵機の吸込口を示す一部断面を含む正面図である。
【図６】  図１１の一部拡大図である。
【図７】  従来における集塵機の吸込口を示す平面図である。
【図８】  従来における集塵機の吸込口を示す平面図である。
【図９】  従来における集塵機の吸込口を示す斜視図である。
【図１０】  従来における集塵機の吸込口を示す断面図である。
【図１１】  従来における集塵機の吸込口を示す断面図である。
【図１２】  従来における集塵機の吸込口を示す断面図である。
【図１３】  従来における集塵機の吸込口を示す断面図である。
【図１４】  従来における集塵機の吸込口を示す一部断面を含む正面図である。
【図１５】  図１４の一部拡大図である。
【図１６】  図１４の一部斜視図である。
【図１７】  従来における集塵機の吸込口を示す断面図である。
【符号の説明】
１はモーターケース、７はダストケース、１３はダストバッグ、１６は押さえ部材、２１は吸込口である。
【図１】
0004006568.tif 000002
【図２】
0004006568.tif 000003
【図３】
0004006568.tif 000004
【図４】
0004006568.tif 000005
【図５】
0004006568.tif 000006
【図６】
0004006568.tif 000007
【図７】
0004006568.tif 000008
【図８】
0004006568.tif 000009
【図９】
0004006568.tif 000010
【図１０】
0004006568.tif 000011
【図１１】
0004006568.tif 000012
【図１２】
0004006568.tif 000013
【図１３】
0004006568.tif 000014
【図１４】
0004006568.tif 000015
【図１５】
0004006568.tif 000016
【図１６】
0004006568.tif 000017
【図１７】
0004006568.tif 000018